(57)【要約】      （修正有）【課題】同一サイズの箱に対応可能な２パターンの区画数の形状に変形することができ、その位置及び形状安定性に優れた仕切板及びこれを用いた仕切付箱を提供する。【解決手段】１枚のシート材からなり、略矩形の第１シート材２を備える仕切板１であって、この第１シート材が、幅方向に設けられる第１折目線３と、この第１折目線の両側に平行かつ幅方向長さの１／２の間隔を開けて設けられる一対の第２折目線４と、第１シート材を二等分する長手方向線上における一対の第２折目線間に設けられる切込線５と、第１シート材を二等分する長手方向線上における切込線以外の部分に設けられる第３折目線６とを設け仕切板及びこれを用いた仕切付箱を構成する。【選択図】図１
0003153048.tif 000002
【実用新案登録請求の範囲】
【請求項１】
１枚のシート材からなり、略矩形の第１シート材を備える仕切板であって、
この第１シート材が、
幅方向に設けられる第１折目線と、
この第１折目線の両側に平行かつ幅方向長さの１／２の間隔を開けて設けられる一対の第２折目線と、
第１シート材を二等分する長手方向線上における一対の第２折目線間に設けられる切込線と、
第１シート材を二等分する長手方向線上における切込線以外の部分に設けられる第３折目線と
を有することを特徴とする仕切板。
【請求項２】
上記第１折目線、一対の第２折目線及び切込線からなる幅方向仕切形成域が、第１シート材の長手方向に複数形成されている請求項１に記載の仕切板。
【請求項３】
上記第１シート材の両長手方向縁のうち幅方向仕切形成域以外の部分から第４折目線を介して延出する複数対の略方形の第２シート材をさらに備え、
この第２シート材の延出長さが、第１シート材の幅方向長さの１／２である請求項１又は請求項２に記載の仕切板。
【請求項４】
上記第１シート材の略矩形形状が、矩形から頂点部分を切り欠いた形状を有する請求項１又は請求項２に記載の仕切板。
【請求項５】
上記第１及び第２シート材が段ボール紙からなる請求項１から請求項４のいずれか１項に記載の仕切板。
【請求項６】
箱と、この箱の内部に収容される請求項１から請求項５のいずれか１項に記載の仕切板とを備える仕切付箱。
【考案の詳細な説明】
【技術分野】
【０００１】
本考案は、通い箱や段ボール箱等の箱内に収容して箱内を区画する仕切板及びこれを用いた仕切付箱に関する。
【背景技術】
【０００２】
通い箱や段ボール箱等の箱に製品を複数個を収納する場合、製品同士の接触による傷つきや破損、及び物流、保管時の移動、振動、積み重ね等の負荷による変形や破損を防ぐ為に緩衝材として様々なものが用いられている。一般的に、このような緩衝材の中でも、利用のしやすさ及び経済的な観点等から段ボール紙等、板状のシート材からなる仕切板が広く用いられている。
【０００３】
段ボール紙を用いた仕切板としては、例えば、箱内を４区画に仕切るものとしては、２枚の矩形の段ボール紙を平面視十字形に組み合わせるタイプの仕切板が広く使用されている。このような箱内を４区画に仕切る仕切板として、組み立ての容易さ及び部品点数の削減等の観点から、一枚の段ボール紙を組み立ててなる仕切板が発明されている（例えば特開平９−１４２４５０号公報、特開平９−２４５０号公報等参照）。
【０００４】
一方、工場や流通センター等、通い箱や段ボール箱を大量に用いる場所においては、様々な種類の製品を一定の大きさの箱に収納するため、製品のサイズ等に応じて仕切板の区画の数を変える必要がある。そのため、その区画の数に応じた複数種の仕切板が用いられている。このように、製品のサイズ等に対応して複数種の仕切板が必要になるということは、使用されない仕切板が発生するため、非効率及び非経済的であるという不都合が存在する上に、環境面においても好ましくない。そこで、一つの仕切板で複数の区画数に対応できる仕切板が求められている。
【０００５】
通い箱等に用いる仕切板において、例えば、４区画用と２区画用に兼用する方法としては、上記の特開平９−１４２４５０号公報に記載の折りあがった仕切板を扁平に潰して用いることも可能である。しかしながら、４区画用の仕切板を扁平に潰して使用した場合には、形状が不安定であり、仕切板のみでは通い箱等の箱内部中央位置に安定して固定されない。４区画用と２区画用との兼用に限らず、同一サイズの通い箱等に対して区画数を変更して使用することができる仕切板への流通業界等における要請は高い。しかしながら、区画数を変更することが可能な仕切板は、形状や通い箱等の箱内での位置及び形状安定性等の観点から用いられていないのが現状である。
【先行技術文献】
【特許文献】
【０００６】
【特許文献１】特開平９−１４２４５０号公報
【特許文献２】特開平９−２４５０号公報
【考案の概要】
【考案が解決しようとする課題】
【０００７】
本考案はこれらの不都合に鑑みてなされたものであり、同一サイズの箱に対応可能な２パターンの区画数の形状に変形することができ、その位置及び形状安定性に優れた仕切板及びこれを用いた仕切付箱の提供を目的とするものである。
【課題を解決するための手段】
【０００８】
上記課題を解決するためになされた考案は、
１枚のシート材からなり、略矩形の第１シート材を備える仕切板であって、
この第１シート材が、
幅方向に設けられる第１折目線と、
この第１折目線の両側に平行かつ幅方向長さの１／２の間隔を開けて設けられる一対の第２折目線と、
第１シート材を二等分する長手方向線上における一対の第２折目線間に設けられる切込線と、
第１シート材を二等分する長手方向線上における切込線以外の部分に設けられる第３折目線と
を有することを特徴とする仕切板である。
【０００９】
当該仕切板は、第１シート材が上記の形状を備えているため、第１折目線を山折りにし一対の第２折目線を谷折りにすることにより、２区画の仕切を形成することができる。また、当該仕切板によれば、上記２区画の仕切を有する状態から第３折目線を山折りにすることにより、４区画の仕切を形成することができる。このように、当該仕切板によれば、２区画と４区画という２パターンの区画数に対応した形状に変形することができる。
【００１０】
また、当該仕切板は、第２折目線が第１折目線の両側に平行かつ幅方向長さの１／２の間隔を開けて設けられている。従って、当該仕切板は、２パターンどちらの区画数の仕切板として用いた場合にも、縦横の長さが変わらないため、同一形状の箱に隙間及び余り無く収容することができ、箱内での位置及び形状安定性に優れている。
【００１１】
上記第１折目線、一対の第２折目線及び切込線からなる幅方向仕切形成域が、第１シート材の長手方向に複数形成されているとよい。当該仕切板によれば、各第１折目線を山折りにし、第２折目線を谷折りにすることにより、幅方向仕切形成域の数、すなわち第１折目線の数（ｎ本）に応じた（ｎ＋１）区画の仕切を形成することができる。また、当該仕切板によれば、上記（ｎ＋１）区画の状態から第３折目線を山折りにすることにより、２（ｎ＋１）区画の仕切を形成することができる。このように当該仕切板によれば、（ｎ＋１）区画と２（ｎ＋１）区画という２パターンの区画数に対応した形状に変形することができる。
【００１２】
上記第１シート材の両長手方向縁のうち幅方向仕切形成域以外の部分から第４折目線を介して延出する複数対の略方形の第２シート材をさらに備え、この第２シート材の延出長さ（第１シート材を基準とする幅方向長さ）が、第１シート材の幅方向長さの１／２であることが好ましい。当該仕切板によれば、このような第２シート材を有することで、２（ｎ＋１）区画の仕切を形成した際にも、第２シート材が底板となり、箱内に収容される製品等を保護することができる。また、当該仕切板は、第２シート材の延出長さ（第１シート材を基準とする幅方向長さ）が、第１シート材の幅方向長さの１／２であるため、区画数を変形した際においても、底板のサイズが変わらず、同一形状の箱に隙間及び余り無く収容することができ、箱内での位置及び形状安定性に優れている。
【００１３】
上記第１シート材の略矩形形状が、矩形から頂点部分を切り欠いた形状を有することが好ましい。当該仕切板によれば、このようにシート材の頂点部分が切り欠かれているために、箱内部に容易に収納することができる。また、当該仕切板によれば、周囲の形状が直線状に形成されているため、箱内でのガタ付きが無く、安定性が向上されるために、収納される製品等の緩衝機能が向上するとともに、当該仕切板の複数回の長期使用が可能となる。
【００１４】
上記第１及び第２シート材が段ボール紙からなることが好ましい。当該仕切板は、シート材が段ボール紙からなることで加工及び折り曲げによる組み立てを容易に行うことができる。また、シート材が段ボール紙からなることで、適度な厚みを有するためにクッション性に優れるとともに、形状が箱内で安定して固定される。
【００１５】
従って、箱と、この箱の内部に収容される当該仕切板とを備える仕切付箱によれば、仕切板を２パターンの区画数（（ｎ＋１）区画と２（ｎ＋１）区画）に変化させることにより多様な製品を収納することができる。また、当該仕切付箱は、この仕切板の位置及び形状安定性が高いために、製品の収容を容易かつ効率よく行うことができる。
【００１６】
なお、本考案において、「折目線」とは、シート材を折り曲げる際に折目となる線をいい、既に折り曲げられたことによって生じている線のみならず、折り曲げることができるように設けられている線を含む概念である。また、本考案において「略矩形」とは、矩形に限定されず、矩形から頂点部分や縁部分等を切り欠いた形状等、本考案を実施することが出来る範囲において矩形と異なる形状を含む概念である。
【考案の効果】
【００１７】
以上説明したように、本考案の仕切板は、一枚のシート材から形成され、同一サイズの箱に対応可能な２パターンの区画数の形状に変形することができる。従って、本考案の仕切板によれば、仕切板の使用量を抑制させることができ、経済面及び環境面に優れた効果を発揮することができる。また、本考案の仕切板によれば、位置及び形状安定性を高めることができる。従って、この仕切板を内部に備える仕切付箱は、サイズの異なる複数種の製品等の収容に対応することができる。
【図面の簡単な説明】
【００１８】
【図１】本考案の一実施形態に係る仕切板を示す平面図である。
【図２】２区画用の形状を有する図１の仕切板を示す斜視図である。
【図３】４区画用の形状を有する図１の仕切板を示す斜視図である。
【図４】図２の形状の仕切板を備える仕切付箱を示す斜視図である。
【図５】図３の形状の仕切板を備える仕切付箱を示す斜視図である。
【図６】図１の仕切板とは異なる実施形態に係る仕切板を示す平面図である。
【図７】２区画用の形状を有する図６の仕切板を示す斜視図である。
【図８】４区画用の形状を有する図６の仕切板を示す斜視図である。
【考案を実施するための形態】
【００１９】
以下、適宜図面を参照しつつ、本考案の仕切板及びこれを用いた仕切付箱の実施の形態を詳説する。
【００２０】
図１の仕切板１は、一枚のシート材からなり、第１シート材２を備えている。
【００２１】
第１シート材２は、幅方向長さａ、長手方向長さｂの略矩形の形状を有している。この第１シート材２の大きさとしては特に限定されず、この仕切板１を用いる通い箱や段ボール箱等の大きさに応じて適宜設定される。当該第１シート材２によれば、このように略矩形の形状を有しているため、仕切板１を組み立てた際に底辺部分が常に直線状となり、通い箱内で仕切板１がガタ付くこと無く安定して収納されることができる。
【００２２】
この第１シート材２の略矩形形状の詳細な形状は、矩形から四つの頂点を直線状に切り欠いた形状である。当該第１シート材２によれば、このように矩形から四つの頂点を切り欠いた形状を有していることで、通い箱等にこの仕切板１を収納及び取り出す際に、当該仕切板１の角等を当てずに容易にこの収納及び取り出し作業を行うことができる。この直線状に切り欠かれた切り欠き部７のサイズとしては特に限定されないが、下限としては、０．５ｃｍが好ましく、１ｃｍが特に好ましい。また、切り欠き部７の上限としては、６ｃｍが好ましく、４ｃｍが特に好ましい。切り欠き部７の大きさが上記下限より小さいと通い箱等への収納及び取り出しの際に、シート材の四角が通い箱等の内面に当たりやすいため、四つの頂点を切り欠いた効果が十分に現れない。逆に、切り欠き部７の大きさが上記上限を超えると、通い箱等への収納及び取り出しの際の作業性は向上するものの、第１シート材２の四辺の直線部分が少なくなるため、仕切板として使用する際にガタ付きが生じやすくなり、安定性が低下する。
【００２３】
当該第１シート材２の材質としては、シート状を形成することができ、仕切板の素材としての一定の強度及びクッション性を有し、かつ折り曲げ可能なものであれば特に限定されず、厚紙等の紙類や、ポリビニル樹脂等の合成樹脂等を用いることができる。この中でも厚紙、特に段ボール紙が、好適に用いることができる。第１シート材２が、段ボールからなることで、加工及び折り曲げによる組み立てを容易に行うことができる。また、第１シート材２が段ボール紙からなることで、適度な厚みを有するためにクッション性に優れるとともに、形状が箱内で安定して固定される。
【００２４】
当該第１シート材２に用いられる段ボール紙は、波状のフルートと、このフルートの片面又は両面に張り合わされるライナとからなる構造を有している。また、このフルートは段山間隔や高さによって、Ａ、Ｂ、ＡＢ、Ｅ、Ｎフルート等に分けられ、この段ボール紙の構造は、通い箱等に収納される製品の種類等に応じて適宜選択することができる。例えば、収納される製品が壊れやすい、あるいは傷つきやすい製品であり、仕切板１に高い衝撃吸収性を求める場合には、適度な厚みを有するＡフルートやＡＢフルート、Ｎフルート等を好適に用いることができる。また、仕切板１に高い耐久性を求める場合は、段の密度が細かく頑丈なＢフルートを、意匠性を求める場合は印刷に適したＥフルートを好適に用いることができる。
【００２５】
第１シート材２は、幅方向に設けられる第１折目線３及び一対の第２折目線４と、長手方向に設けられる切込線５及び第３折目線６とを有している。
【００２６】
第１折目線３は、第１シート材２の幅方向に、第１シート材を二等分する位置に１本直線状に設けられている。当該第１折目線３が折り曲げられることにより、当該第１シート材２の一部（幅方向仕切形成域８）が、２区画用及び４区画用の仕切板形状における幅方向の仕切として機能することができる。
【００２７】
この第１折目線３は、第１シート材２に対して公知の方法で設けるられている。この第１シート材２が段ボール紙である場合は、例えば、罫線加工により設けることもでき、表面に切り込みを入れることによって設けることもできる。表面に切り込みを入れることによって第１折目線３を設ける場合は、表面側のライナのみを切り、裏面側のライナには切り込みが入らない深さにて設けるとよい。このような切り込みにより折目線を設けることによって、折り曲げを容易にするとともに、片面のライナを残すことにより一定の強度を保つことができる。なお、他の折目線も同様の方法で設けることができる。
【００２８】
第２折目線４は、第１折目線３の両側に、平行かつ幅方向長さａの１／２の間隔を開けて２本直線状に設けられている。この第２折目線４の形成方法としては、上記第１折目線３と同様な方法を用いることができる。また、この第２折目線４は、第１折目線３と逆の方向に容易に折り曲げることができるように加工されるとよい。当該第２折目線４が折り曲げられることにより、当該第１シート材２の一部（幅方向仕切形成域８）が、２区画用及び４区画用の仕切板形状における幅方向の仕切として機能することができる。
【００２９】
切込線５は、第１シート材２を二等分する長手方向線上における一対の第２折目線４間に、１本直線状に設けられている。当該切込線５によれば、後に詳細に説明するように、当該仕切板１を２区画用の仕切板形状から、容易に４区画用の仕切板形状に変形させることができる。
【００３０】
第３折目線６は、第１シート材２を二等分する長手方向線上における切込線５以外の部分に直線状に設けられている。この第３折目線６の形成方法としては、上記第１折目線３と同様な方法を用いることができる。また、この第３折目線６は、第１折目線３と同方向に容易に折り曲げることができるように加工されるとよい。当該第３折目線６によれば、後に詳細に説明するように、当該仕切板１を２区画用の仕切板形状から、容易に４区画用の仕切板形状に変形させることができる。
【００３１】
次に、当該仕切板１の使用方法について説明する。なお、第１シート材２において、第１折目線３、一対の第２折目線４及び切込線５からなる領域を幅方向仕切形成域８とし、それ以外の領域（各第２折目線４及び第３折目線６で仕切られる領域）を長手方向仕切形成域９とする。ここで、幅方向仕切形成域８は、一辺の長さがａの正方形形状を有し、第１折目線３及び切込線５によって一辺の長さがａ／２の正方形に四等分されている。
【００３２】
まず、２区画用の形状を有する仕切板１について説明する。第１シート材２を第１折目線３に沿って１８０°折り曲げ（山折り）、続けて一対の第２折目線４に沿って第１折目線３とは逆方向に９０°折り曲げる（谷折り）ことで、図２に示す２区画用の形状を有する仕切板１が組み立てられる。
【００３３】
この２区画用の形状における仕切板１は、長手方向仕切形成域９が底板となり、幅方向仕切形成域８が二重に重なった状態で幅方向の仕切を形成している。この２区画用の形状における仕切板１のサイズは、底板の長手方向長さが（ｂ−ａ）、幅方向長さがａ、及び仕切の高さがａ／２となっている。
【００３４】
次に、４区画用の形状を有する仕切板１について説明する。図２に示される２区画用の形状を有する仕切板１において、第１シート材２を第３折目線６に沿って第１折目線３と同方向に９０°折り曲げる（山折り）ことで、図３に示される４区画用の形状を有する仕切板１が組み立てられる。第１シート材２は、第１シート材２を二等分する長手方向線上における一対の第２折目線４間に設けられる切込線５を有している。従って、当該仕切板１によれば、幅方向仕切形成域８が中央の切込線５によって分かれ、このように２区画用の形状から４区画用の形状に容易に変形することができる。
【００３５】
この４区画用の形状における仕切板１によれば、幅方向仕切形成域８が二重に重なり合った幅方向の仕切を形成し、長手方向仕切形成域９が二重に重なり合った長手方向の仕切を形成している。この４区画用の形状における仕切板１のサイズは、長手方向長さが（ｂ−ａ）、幅方向長さがａ、高さがａ／２となっている。当該仕切板１は、幅方向仕切形成域８が一辺の長さａの正方形形状を有し、第１折目線３及び切込線５によって一辺の長さａ／２の正方形状となるように各折目線等が形成されている。従って、当該仕切板１によれば４区画用の形状においても、２区画用の形状と同サイズの長手方向長さ、幅方向長さ及び高さを有することができる。すなわち、当該仕切板１によれば、同一サイズの箱に対して、形状を変えることにより、２区画用の仕切としても４区画用の仕切としても用いることができる。また、当該仕切板１によれば、２パターンどちらの区画数の仕切として用いた場合にも、縦横の長さが変わらないため、同一サイズの箱に隙間及び余りなく収納することができ、箱内での位置及び形状安定性に優れている。
【００３６】
図４に示される仕切付箱１１は、内寸が縦（ｂ−ａ）、横ａ、深さａ／２以上の箱１２と、この箱１２の内部に収容される２区画用の形状を有する仕切板１とを備えている。箱１２は、通常の合成樹脂製等の通い箱や、段ボール箱等特に限定されるものではない。このように、２区画用に組み立てられた仕切板１を収納することで、仕切付箱１１は、製品等を２区画に分けて収納することができる。
【００３７】
図５に示される仕切付箱１１は、内寸が縦（ｂ−ａ）、横ａ、深さａ／２以上の箱１２と、この箱１２の内部に収容される４区画用の形状を有する仕切板１とを備えている。
前述のように、当該仕切板１は４区画用の形状とした際も、長手方向長さが（ｂ−ａ）、幅方向長さがａ、高さがａ／２と２区画用の大きさと同一であるため、同一の箱１２に２区画用及び４区画用どちらの形状の仕切板１も収納することができる。
【００３８】
このように、当該仕切板１が内部に収納される仕切付箱１１によれば、仕切板１を２パターンの区画数（２区画と４区画）に変化することができ、多様な製品を収納することができる。また、当該仕切付箱１１は、この仕切板１の位置及び形状安定性が高いために、製品の収容を容易に行うことができる。
【００３９】
図６の仕切板２１は、略矩形の第１シート材２２と、この第１シート材２２の両長手方向縁から第４折目線２３を介して延出する２対の略方形の第２シート材２４とを備えている。
【００４０】
第１シート材２２は、幅方向長さａ、長手方向長さｂの矩形の形状を有している。第１シート材２２は、幅方向に設けられる第１折目線３と、この第１折目線３の両側に平行かつ幅方向長さａの１／２の間隔を開けて設けられる一対の第２折目線４と、第１シート材２２を二等分する長手方向線上における一対の第２折目線４間に設けられる切込線５と、第１シート材２２を二等分する長手方向線上における切込線５以外の部分に設けられる第３折目線６とを有している。第１折目線３、第２折目線４、切込線５及び第３折目線６は上記仕切板１と同様であるので、同一番号を付して説明を省略する。また、第１シート材２２においても、第１折目線３、一対の第２折目線４及び切込線５からなる領域を幅方向仕切形成域８とし、それ以外の領域（各第２折目線４及び第３折目線６で仕切られる領域）を長手方向仕切形成域９とする。また、第１シート材２２のサイズ及び材質も上記第１シート材２と同様である。
【００４１】
第２シート材２４は、第１シート材２２の両長手方向縁のうち幅方向仕切形成域８以外の部分から第４折目線２５を介して延出している。第２シート材２４の材質は、第１シート材２２と同様である。
【００４２】
第２シート材２４は、方形の形状を有している。この第２シート材２４のサイズは、延出長さ（第１シート材２２を基準とする幅方向長さ）が第１シート材２２の幅長さａの１／２、延出方向に垂直な方向の長さが（ｂ−ａ）となっている。
【００４３】
第２シート材２４は、仕切板１の第１シート材２と同様に、矩形形状から四つの頂点部分を直線等で切り欠いた形状を有していてもよい。このように、頂点部分が切り欠いた形状を有する第２シート材２４を備える当該仕切板２１によれば、仕切板１と同様に、箱への収納及び取り出しを容易に行うことができる。
【００４４】
次に、当該仕切板２１の使用方法について説明する。
【００４５】
まず、２区画用の形状を有する仕切板２１について説明する。第１シート材２２を第１折目線３に沿って１８０°折り曲げ（山折り）、続けて一対の第２折目線４に沿って第１折目線３とは逆方向に９０°折り曲げ（谷折り）、第２シート材２４を２対の第４折目線２３に沿って第２折目線４と同方向に９０°折り曲げる（谷折り）ことで、図７に示す２区画用の形状を有する仕切板１が組み立てられる。
【００４６】
この２区画用の形状における仕切板２１は、長手方向仕切形成域９が底板となり、幅方向仕切形成域８が二重に重なり合った幅方向の仕切を形成している。この２区画用の形状における仕切板１のサイズは、底板の長手方向長さが（ｂ−ａ）、幅方向長さがａ、及び仕切の高さがａ／２となっている。
【００４７】
次に、４区画用の形状を有する仕切板２１について説明する。図７に示される２区画用の形状を有する仕切板２１において、第１シート材２を第３折目線６に沿って第１折目線３と同方向に９０°折り曲げる（山折り）ことで、図８に示される４区画用の形状を有する仕切板２１が組み立てられる。第１シート材２２は、第１シート材２２を二等分する長手方向線上における一対の第２折目線４間に設けられる切込線５を有しているため、当該仕切板２１は、幅方向仕切形成域８が中央の切込線５によって分かれ、このように２区画用の形状から４区画用の形状に容易に変形することができる。
【００４８】
この４区画用の形状における仕切板２１は、幅方向仕切形成域８が二重に重なり合った幅方向の仕切を形成し、長手方向仕切形成域９が二重に重なり合った長手方向の仕切を形成し、２対の第２シート材２４が底板を形成している。この４区画用の形状における仕切板２１のサイズは、長手方向長さが（ｂ−ａ）、幅方向長さがａ、高さがａ／２となっている。
【００４９】
当該仕切板２１によれば４区画用の形状においても、２区画用の形状と同サイズの長手方向長さ、幅方向長さ及び高さを有することができる。更には当該仕切板２１によれば、第２シート材２４を有しているため、４区画用の形状となった際も、第２シート材２４が底板となり、箱内に収容される製品等を保護することができる。更には、当該仕切板２１によれば、第２シート材２４の延出方向長さが、第１シート材２２の幅方向長さａの１／２であるため、この底板の大きさが変わらず、同一サイズの箱に隙間及び余り無く収容することができ、箱内での位置及び形状安定性に優れている。
【００５０】
なお、本考案の仕切板及びこれを用いた箱は上記実施形態に限定されるものでは無く、例えば、上記仕切板１において、幅方向仕切形成域が、第１シート材の長手方向に複数形成されていてもよい。幅方向仕切形成域がｎ個、即ち第１折目線がｎ本（ｎは自然数）設けた場合においては、各第１折目線の両側に平行かつ幅方向長さの１／２の間隔を開けてｎ対の第２折目線が設けられる。
【００５１】
この仕切板は、第１シート材を各第１折目線に沿って同一方向に１８０°折り曲げ（山折り）、ｎ対の第２折目線に沿って第１折目線とは逆方向に９０°折り曲げる（谷折り）ことで、（ｎ＋１）区画用の形状を形成することができる。さらに、この仕切板は、（ｎ＋１）区画用の形状から、第１シート材を第３折目線に沿って第１折目線と同方向に９０°折り曲げる（山折り）ことで、２（ｎ＋１）区画用の形状を形成することができる。この際、第１シート材における幅方向仕切形成域以外の部分（長手方向仕切形成域）が底板となって機能する。このように幅方向仕切形成域をｎ個設けることによって、本考案の仕切板は（ｎ＋１）区画用及び２（ｎ＋１）区画用の形状を同一の寸法にて形成することができる。
【００５２】
また、当該第１シート材の形状としては、略矩形形状を有せば上記形状に限定されず、例えば、意匠性を考慮して側縁を波状等に形成することもできる。更には、第１折目線は幅方向であれば、第１シート材を二等分する位置に設けられなくてもよい。当該仕切板は第１シート材を二等分する位置以外に第１折目線を設けることにより、面積の異なる区画を形成することができる。
【産業上の利用可能性】
【００５３】
以上のように、本考案の仕切板は通い箱や段ボール箱に収納する製品等を仕切る板として適しており、これを用いた仕切付箱は、複数サイズの製品を収納する通い箱や段ボール箱として用いるのに適している。
【符号の説明】
【００５４】
１  仕切板
２  第１シート材
３  第１折目線
４  第２折目線
５  切込線
６  第３折目線
７  切り欠き部  
８  幅方向仕切形成域
９  長手方向仕切形成域
１１  仕切付箱
１２  箱
２１  仕切板
２２  第１シート材
２３  第４折目線
２４  第２シート材
【図１】
0003153048.tif 000003
【図２】
0003153048.tif 000004
【図３】
0003153048.tif 000005
【図４】
0003153048.tif 000006
【図５】
0003153048.tif 000007
【図６】
0003153048.tif 000008
【図７】
0003153048.tif 000009
【図８】
0003153048.tif 000010